(57)【要約】子供の涎掛けは、首部のまわりの凹部の縁の一端から前片へ延在しかつ前記凹部の縁の他端近傍で終端する自由担持部（５５，５６）を有するプラスチック紐（５，５５，５６）を含み、前記プラスチック紐はくびれ部により相互に分離された一連のビーズ（５１）の形態を有する。前記紐の自由端部に前記紐を受ける切欠き状凹部（３２）を含む円形ボタン形態の締結具（３０）が設置され、前記紐（５６）内の二つのビーズ（５１）間に位置するくびれ部と係合する拘束要素（３３，３４）を有する。前記締結具は限られた力で前記紐をしっかりと保持できるように僅かに下が切欠かれている。
2006505702.tif 000002
【特許請求の範囲】
【請求項１】
収集トレイ（３）を下端に有しかつ着用者の首部のまわりに涎掛けを設置するための凹部（４）を上端に有する前片（２）を含み、前記凹部（４）の縁の一端領域で前記前片に連結された弾力のある弾性自由担持紐（５）が前記凹部（４）の他端領域で前記前片（２）の上部上に設置された締結具まで伸張する構成であり、前記紐がくびれ部（５２）を介して共に結合される相互に連続するビーズ（５１）を少なくとも自由端部に有する涎掛けにおいて、
前記締結具は前記前片（２）の一主要面上に取り付けられた本体（３１）を有し、
前記本体（３１）は前記自由担持紐の自由端部（５６）と概ね平行に延在する概ねＵ形の切欠き（３２）を含み、
前記切欠き（３２）は前記本体（３１）が取り付けられた前片面から離れる方向に対面し、かつ
前記切欠きは、前記紐を前記切欠き内で解放自在に保持するように前記紐と共働する弾力のある弾性拘束要素（３３，３４）を含むことを特徴とする、涎掛け。
【請求項２】
前記切欠きの切欠き部は前記紐の二つの相互に連続するビーズ（５１）間に位置するくびれ部（５２）に受けることのできる拘束要素を含む、請求項１の涎掛け。
【請求項３】
前記拘束要素は前記くびれ部と弾力により緩衝的に係合する構成の二つの対峙部（３４）を含み、前記拘束要素の二つの対峙部はくびれ部（５２）の直径よりも短い距離で離隔し、かつ前記ビーズが前記切欠きの底に当接するときに前記ビーズの半径よりも長い距離で前記切欠き（３２）の底から上方に位置決めされている、請求項２の涎掛け。
【請求項４】
前記拘束要素（３３）は前記くびれ部（５２）のまわりを１８０度を超えて包囲する、請求項１の涎掛け。
【請求項５】
前記本体の露出面は半球状である、請求項１から４のいずれか１の涎掛け。
【請求項６】
前記半球状の延長線は前記紐の外径よりも若干大きい、請求項１の涎掛け。
【請求項７】
前記締結具の切欠きは前記紐の自由端部（５６）と概ね平行である、請求項１から６のいずれか１の涎掛け。
【請求項８】
前記紐は前記前片と一体的に形成されている、請求項１から７のいずれか１の涎掛け。
【請求項９】
前記紐は、前記凹部を囲むための前記凹部の縁の周りに押出し成形された端部を有する、請求項１から７のいずれか１の涎掛け。
【請求項１０】
前記凹部の縁の周りに押出し成形された紐の部分はビーズネックレスの形態である、請求項９の涎掛け。
【発明の詳細な説明】
【技術分野】
【０００１】
本発明は請求項１の導入部に記載の種類の涎掛けに関する。
本発明による涎掛けは、薄く、可撓性であり、着用者の首の下領域の着用者の胸を被覆することを目的とし、かつ収集トレイを下端に、そして着用者の首周りに設置される凹部を上端に有する涎掛け前片を形成する射出成形プラスチック要素を含む従来既知の種類の涎掛けである。円形断面を有する材料による紐(string)が前記凹部の縁周りに取り付けられる。
【背景技術】
【０００２】
前記凹部の縁の一端領域に紐を連結すること、および前記凹部の他端領域において前片の上部上で締結具に前記凹部を横切って前記紐が伸長するようにすることは実際に既知である。前記紐は自由担体であり、かつくびれ部により相互に連結される一連のビーズ（beads)の形態を有する。前記締結具は真珠を通過させる寸法の第一部、および前記くびれ部の直径に対応する幅の半径方向および外方に形成されたスロットを含む鍵穴開口部の形態である。
【発明の開示】
【発明が解決しようとする課題】
【０００３】
本発明の課題は、前記紐の自由端部を更に取り付け易くしかつ一連の相互に結合したビーズの形態を有しかつ前記紐の自由端を片手で前記締結具へ締結しかつ前記締結具から離脱させることのできる締結具を提供することにある。
【０００４】
本発明の他の課題は、人への危害を最小限にしかつ前記紐の保持強度を前記紐のテンションに対して選択された限度内で制御できる締結具を提供することにある。
【課題を解決するための手段】
【０００５】
前記課題は本発明により達成される。
本発明は添付の独立請求項１に記載されている。
本発明の他の実施形態は添付の従属請求項から明らかである。
【０００６】
首周囲の凹部を架橋する紐は、少なくとも自由端において、ビーズによる紐もしくはネックレス(string)の形態を有する。本発明の重要な特徴は、締結具が前片上に取り付けられた本体の形態を有しかつ前記紐の自由端部と平行に延在することが望ましい概ねＵ形の切欠きを含むことである。前記切欠きは本体担持前片の主要面から離れる方向に対面しかつ前記紐の直径に対応する幅を有する。前記切欠きは、前記紐内で二つの相互に隣接するビーズ間で腰に受けることのできる拘束要素を含む。前記拘束要素は、好適には、前記くびれ部と弾性かつ緩衝的に係合する部分を含み、この部分はそれぞれのくびれ部の直径よりも小さい距離で相互から離隔し、かつ前記凹部の底に当接する前記紐の中央レベルよりも上に位置する。
【０００７】
前記拘束要素は、好適には、１８０度を超えて前記くびれ部の周りに伸長する長さである。
【０００８】
前記締結具の本体は、前記紐の全体を前記切欠きが受けることのできるように前記紐の外径よりも好適には僅かに大きい高さを有する概ね半球要素の形態を有する。
【発明を実施するための最良の形態】
【０００９】
以下に添付図面を参照して本発明を例示として説明する。
【００１０】
図１において、トレイのごとき突出部３を下端に有しかつ子供の首の周りに設置するための凹部４を上端に有する涎掛け前片２を形成する薄い射出成形プラスチック要素を含む涎掛け１が示されている。
【００１１】
円形断面の材料による紐５が凹部４の縁４１の周りに取り付けられている。
【００１２】
紐５は、くびれ部５２により相互に結合される一連のビーズ５１で構成されるので、紐５は柔軟であるが着用者の首の皮膚に軽く接触する。図１から明らかなように、紐５は凹部４の縁の周りに形成された紐部に加えて延長部５５を含み、前記延長部は自由担持（free-bearing)形態で凹部４の一端４２から湾曲した通路に概ね追従し、前記延長部の自由端部５６は凹部４の縁の他端４３の近傍に位置する前片２の一部２２に位置決めされている。前記紐の端部５６を締結するための締結具３０は前片２の領域内に設けられる。凹部４の一端４２の領域において前片２の上端部には涎掛けを吊るすことができるように貫通孔２２が形成されている。
【００１３】
図３および４に示された形態の締結具３０は、前片２の前面から離れる方向に対面する湾曲部を有する概ね半球形の本体３１を有する。紐５のビーズ５１の外径に対応する幅、およびビーズ５１の外径に概ね対応する深さを有する切欠き３２が本体３１へ侵入している。
【００１４】
くびれ部５２内に受けることを意図し、かつ共に切欠き３２に沿った移動に対して前記紐を固定する拘束要素３３が切欠き３２に沿って中央に設けられている。
【００１５】
図４から理解されるように、拘束要素３３はそれぞれのくびれ部の直径よりも小さい間隔で相互に離隔し、かつ前記紐の延長部のビーズ５１が切欠き３２の底に当接するときに前記紐の中央レベルまたはそのレベルよりも上方にある二つの相互に対峙する部３４を含み、そのようにして切欠き３２および切欠き部３４は１８０度よりも僅かに大きい角度にわたって前記紐を包囲する。
【００１６】
前記紐の自由端部は所定の折り曲げ抵抗を有し、前記紐の切欠き部３４による保持作用に対して前記紐の自由端部の切欠き３２からの上昇を可能にする。これは、前記紐の自由端部５６を締結具の本体３１から所定距離上昇させることにより、かつ／または前片２と本体３１の近くの自由端部５６即ち紐部５６との間に指を押し込むことにより達成される。図４から理解されるように、本体３１は前片２内の孔（図示せず）へ侵入するシャフトを有する。前記シャフトの端と前片２の後側との間に固定される（キャスティングにより）円錐形ラッチ要素が含まれる。本体３１の円形形態は、紐の掛止速さの危険を抑制する。通常条件下で、紐部５６は紐５６を前記切欠きへ片手の親指で押して下げ、他の指で締結具３０に前片２の下側を支持することにより、切欠き３２へ容易に設置できる。前記紐の自由担持部５５は凹部４の入り口を架橋するように予備形成されるので、涎掛けは片手で子供の首の周りに快適に設置できる。涎掛けが子供の首の周りに設置されると、前記紐の弾性による可撓性が紐部５６を締結具３０へ係止する前に涎掛けを所定位置に保持するのを助ける。
【図面の簡単な説明】
【００１７】
【図１】本発明により構成された子供の涎掛けの前面図である。
【図２】図１のＩＩ−ＩＩ線に沿った側面図である。
【図３】図１に示された涎掛けの構成の一部の拡大図である。
【図４】図３のＩＶ−ＩＶ線に沿った断面図である。
【図５】図１のＶ−Ｖ線に沿った断面図である。
【図１】
2006505702.tif 000003
【図２】
2006505702.tif 000004
【図３】
2006505702.tif 000005
【図４】
2006505702.tif 000006
【図５】
2006505702.tif 000007
【国際調査報告】
2006505702.tif 000008
2006505702.tif 000009